(57)【要約】【課題】異なる種類の収納容器に取り付けることができ、ラベルの損傷を防止することができると共に、ラベルとラベルを保護する透明カバーとを容易に差し込み及び取り外しできるラベルプレートを提供すること。【解決手段】矩形板状の基部１１の表面に縦及び横枠部１２，１３を残して窓部１４を有する合成樹脂製のプレート本体１５と、プレート本体１５内に収容されるラベル３０の表面を覆う可撓性を有する透明カバー４０と、プレート本体１５の基部１１の裏面に設けられるシート状の貼着部材例えば両面接着テープ５０と、を具備する。プレート本体１５の長手方向に対向する縦枠部１２の窓部側面に、透明カバー４０の端部が係脱可能な係止溝１６を設けると共に、基部１１に、係止溝１６を含んで窓部内方側に延在するスリット１７を設け、縦枠部１２及び横枠部１３の一方に、係止溝１６に連通する、ラベル３０及び透明カバー４０が挿通可能な挿通口２０を設ける。【選択図】図２
2018180397.tif 000002
【特許請求の範囲】
【請求項１】
矩形板状の基部の表面に縦及び横枠部を残して窓部を有する合成樹脂製のプレート本体と、
上記プレート本体内に収容されるラベルの表面を覆う可撓性を有する透明カバーと、
上記プレート本体の基部の裏面に設けられるシート状の貼着部材と、を具備するラベルプレートであって、
上記プレート本体の長手方向に対向する上記縦枠部の上記窓部側面に、上記透明カバーの端部が係脱可能な係止溝が設けられると共に、上記基部に、上記係止溝を含んで上記窓部内方側に延在するスリットが設けられ、
上記縦枠部及び横枠部のいずれか一方に、上記係止溝に連通する、上記ラベル及び透明カバーが挿通可能な挿通口が設けられている、
ことを特徴とするラベルプレート。
【請求項２】
請求項１に記載のラベルプレートにおいて、
上記挿通口が、上記両縦枠部の長手方向の全長に亘って延在する上記スリットによって形成されている、ことを特徴とするラベルプレート。
【請求項３】
請求項１に記載のラベルプレートにおいて、
上記横枠部の一方の上記窓部側面に、上記透明カバーの端部が係脱可能な係止溝が設けられると共に、上記基部に、上記係止溝を含んで上記窓部内方側に延在するスリットが設けられ、
上記横枠部の他方に、上記縦枠部の係止溝に連通する、上記ラベル及び透明カバーが挿通可能な挿通口が設けられ、
上記基部における上記挿通口の中央部に対向する部位に、外方に向かって開口する指掛け用の切欠き部が設けられている、
ことを特徴とするラベルプレート。
【請求項４】
請求項３に記載のラベルプレートにおいて、
上記挿通口の表面側の上記横枠部が挿通口を拡開する方向に弾性変形可能に形成されている、ことを特徴とするラベルプレート。
【請求項５】
請求項３又は４に記載のラベルプレートにおいて、
上記挿通口における長手方向の両端部側の上記基部と対向する面に、上記透明カバーの抜け出し防止用の係止爪が突設されると共に、上記基部における上記係止爪と対向する部位に、上記挿通口を含んで上記窓部内方側に延在するスリットが設けられている、ことを特徴とするラベルプレート。
【請求項６】
請求項５に記載のラベルプレートにおいて、
上記係止爪が、外方から内方に向かって上り傾斜状に形成されている、ことを特徴とするラベルプレート。
【請求項７】
請求項３に記載のラベルプレートにおいて、
上記縦枠部及び横枠部の長手方向の端部側に設けられる上記スリットがＬ字状に形成されている、ことを特徴とするラベルプレート。
【請求項８】
請求項３に記載のラベルプレートにおいて、
上記指掛け用の切欠き部が、該切欠き部の開口側両縁部及び先端部が円弧状に形成されている、ことを特徴とするラベルプレート。
【発明の詳細な説明】
【技術分野】
【０００１】
この発明は、例えば、収納ボックス、キャビネットや家具の引出等の収納容器に入っている内容物を識別するラベルを交換可能に保持するラベルプレートに関するものである。
【背景技術】
【０００２】
一般に、例えば、収納ボックス、キャビネットや家具の引出等の収納容器に入っている内容物を識別するために、収納容器の前面あるいは側面に識別用のラベルを、収納容器に取り付けられたラベルホルダーに挿入している。
この場合、ラベルの汚れや損傷を防止するために、ラベルの表面側に透明の保護カバーを設けるのが望ましい。
【０００３】
しかし、市販の収納ボックスや衣料ケース等の収納容器においては、ラベルホルダーが設けられていないため、収納容器に容易に貼着等によって取り付けられるラベルホルダーが望まれている。
【０００４】
従来のこの種のラベルホルダーとして、収納容器（コンテナ）に取り付けられて、ラベルの挿入、取り外しが可能なラベルホルダーが知られている（例えば、特許文献１参照）。
【０００５】
特許文献１に記載のものは、ラベル挿入保持用の小間隙を介して窓部を有する前面枠を配設したラベルホルダーであって、ラベル挿入保持用の小間隙の入口付近において、背面板の前面部の横方向のほぼ全長にわたり縦断面が湾曲したラベル挿入ガイド溝部を形成し、窓部に対向する背面板の前面部の部位にラベル挿入ガイド溝部に交差した指掛用縦溝部を設けた構造である。
【先行技術文献】
【特許文献】
【０００６】
【特許文献１】特開２０００−３５６９５４号公報（特許請求の範囲、図１，図２）
【発明の概要】
【発明が解決しようとする課題】
【０００７】
しかしながら、特許文献１に記載のものは、窓部の小間隙の入口付近が開放しているため、ラベルの縁部が露呈して破損する懸念がある。
また、ラベルを保護するために透明の保護カバーについては言及されていない。
【０００８】
ラベルの破損を防止する手段として、四周に枠部を有する額縁状のラベルホルダーが考えられるが、この形状のものにおいては、ラベルとラベルを保護する透明カバーの差し込み及び取り外しに工夫が必要となる。
【０００９】
この発明は、上記事情に鑑みてなされたもので、異なる種類の収納容器に取り付けることができ、ラベルの損傷を防止することができると共に、ラベルとラベルを保護する透明カバーとを容易に差し込み及び取り外しできるラベルプレートを提供することを課題とする。
【課題を解決するための手段】
【００１０】
上記課題を解決するため、この発明のラベルプレートは、矩形板状の基部の表面に縦及び横枠部を残して窓部を有する合成樹脂製のプレート本体と、上記プレート本体内に収容されるラベルの表面を覆う可撓性を有する透明カバーと、上記プレート本体の基部の裏面に設けられるシート状の貼着部材と、を具備するラベルプレートであって、  上記プレート本体の長手方向に対向する上記縦枠部の上記窓部側面に、上記透明カバーの端部が係脱可能な係止溝が設けられると共に、上記基部に、上記係止溝を含んで上記窓部内方側に延在するスリットが設けられ、  上記縦枠部及び横枠部のいずれか一方に、上記係止溝に連通する、上記ラベル及び透明カバーが挿通可能な挿通口が設けられている、ことを特徴とする（請求項１）。
【００１１】
このように構成することにより、貼着部材を介して収納容器に貼着することができ、ラベルの四周を縦枠部と横枠部とで保護し、表面を透明カバーで保護することができる。
また、基部に、係止溝を含んで窓部内方側に延在するスリットが設けられることで、係止溝部と透明カバーの端部の接触面積を少なく、すなわち摩擦抵抗を少なくして透明カバーの差し込み及び取り外しを容易にすることができる。
【００１２】
請求項１に記載の発明において、上記挿通口が、上記両縦枠部の長手方向の全長に亘って延在する上記スリットによって形成されている方が好ましい（請求項２）。
【００１３】
このように構成することにより、両縦枠部のいずれからもラベルと透明カバーとを差し込み及び取り外しすることができる。
【００１４】
また、請求項１に記載の発明において、上記横枠部の一方の上記窓部側面に、上記透明カバーの端部が係脱可能な係止溝が設けられると共に、上記基部に、上記係止溝を含んで上記窓部内方側に延在するスリットが設けられ、上記横枠部の他方に、上記縦枠部の係止溝に連通する、上記ラベル及び透明カバーが挿通可能な挿通口が設けられ、上記基部における上記挿通口の中央部に対向する部位に、外方に向かって開口する指掛け用の切欠き部が設けられているのが好ましい（請求項３）。この場合、上記挿通口の表面側の上記横枠部が挿通口を拡開する方向に弾性変形可能に形成されているのが好ましい（請求項４）。
【００１５】
このように構成することにより、縦枠部及び横枠部のうちの三方に係止溝を含んで窓部内方側に延在するスリットが設けられ、残りの一方の枠部に設けられた挿通口の中央部に対向する部位に、外方に向かって開口する指掛け用の切欠き部が設けられているため、係止溝部と透明カバーの端部の接触面積（摩擦抵抗）を少なくして透明カバーの差し込み及び取り外しを容易にすることができる。また、取り外しの際には、切欠き部に指をかけて押し上げることで、透明カバーを取り出すことができる。
また、ラベルと透明カバーを取り出す際に、挿通口の表面側の横枠部を挿通口が拡開する方向に弾性変形することで、ラベルと透明カバーの取り出しを更に容易にすることができる。
【００１６】
また、請求項３又は４に記載の発明において、上記挿通口における長手方向の両端部側の上記基部と対向する面に、上記透明カバーの抜け出し防止用の係止爪が突設されると共に、上記基部における上記係止爪と対向する部位に、上記挿通口を含んで上記窓部内方側に延在するスリットが設けられているのが好ましい（請求項５）。この場合、上記係止爪が、外方から内方に向かって上り傾斜状に形成されているのが好ましい（請求項６）。
【００１７】
このように構成することにより、差し込まれた透明カバーとラベルがプレート本体から抜け出るのを防止することができる。この場合、係止爪が、外方から内方に向かって上り傾斜状に形成されることにより、透明カバーとラベルの差し込みを容易にすることができると共に、抜け出し防止を確実にすることができる（請求項６）。
【００１８】
また、請求項３に記載の発明において、上記縦枠部及び横枠部の長手方向の端部側に設けられる上記スリットがＬ字状に形成されているのが好ましい（請求項７）。
【００１９】
このように構成することにより、縦枠部と横枠部の隅角部における係止溝を含む窓部内方側に延在するスリットが設けられることで、縦枠部と横枠部の隅角部の係止溝部と透明カバーの端部の接触面積（摩擦抵抗）を少なくして透明カバーの差し込み及び取り外しを容易にすることができる。
【００２０】
また、請求項３に記載の発明において、上記指掛け用の切欠き部が、該切欠き部の開口側両縁部及び先端部が円弧状に形成されているのが好ましい（請求項８）。
【００２１】
このように構成することにより、指掛け用の切欠き部の開口側縁部及び先端側縁部に丸みを持たせて、透明カバーとラベルの差し込み及び取り外しの際の引っ掛かりを防止することができると共に、使用時の指の引っ掛かりを防止することができる。
【発明の効果】
【００２２】
この発明によれば、上記のように構成されているので、以下のような優れた効果が得られる。
【００２３】
貼着部材を介して収納容器に貼着することができ、ラベルの四周を縦枠部と横枠部とで保護し、表面を透明カバーで保護することができる。
また、基部に、係止溝を含んで窓部内方側に延在するスリットが設けられることで、係止溝部と透明カバーの端部の接触面積を少なく、すなわち摩擦抵抗を少なくして透明カバーの差し込み及び取り外しを容易にすることができる。
【図面の簡単な説明】
【００２４】
【図１】この発明の第１実施形態に係るラベルプレートの使用状態の一例を示す斜視図である。
【図２】第１実施形態における一部を断面で示すプレート本体、貼着部材、ラベル及び透明カバーを示す分解斜視図である。
【図３】第１実施形態におけるプレート本体と貼着部材の一部を断面で示す斜視図である。
【図４】第１実施形態におけるプレート本体の正面図（ａ）及び背面図（ｂ）である。
【図５】図４（ａ）のＩ−Ｉ線に沿う拡大断面図である。
【図６】図４（ａ）のII−II線に沿う拡大断面図である。
【図７】第１実施形態に係るラベルプレートから透明カバーを取り外す手順を示す断面図である。
【図８】第１実施形態における別のプレート本体の正面図（ａ）及び背面図（ｂ）である。
【図９】図８（ａ）のIII−III線に沿う断面図である。
【図１０】第１実施形態における別のプレート本体の斜視図である。
【図１１】この発明の第２実施形態におけるプレート本体、ラベル及び透明カバーを示す分解斜視図である。
【図１２Ａ】第２実施形態におけるプレート本体の正面図（ａ）、平面図（ｂ），底面図（ｃ）及び側面図（ｄ）である。
【図１２Ｂ】第２実施形態におけるプレート本体の背面図である。
【図１３】図１２Ａ（ａ）のIV−IV線に沿う拡大断面図（ａ）及び（ａ）のＶ部拡大断面図（ｂ）である。
【図１４】図１２Ａ（ａ）のVI−VI線に沿う拡大断面図である。
【図１５】図１２Ａ（ａ）のVII−VII線に沿う拡大断面図である。
【図１６】図１２Ａ（ｂ）のVIII−VIII線に沿う拡大断面図である。
【図１７】第２実施形態に係るラベルプレートから透明カバー及びラベルを取り出す状態を示す斜視図である。
【発明を実施するための形態】
【００２５】
以下に、この発明に係るラベルプレートの実施形態を添付図面に基づいて詳細に説明する。ここでは、ラベルプレートを収納ボックスに適用した場合について説明する。
【００２６】
＜第１実施形態＞
第１実施形態のラベルプレート１０は、図２ないし図７に示すように、矩形板状の基部１１の表面に縦枠部１２及び横枠部１３を残して窓部１４を有する例えばＡＢＳ樹脂（アクリロニトリル−ブタジエン−スチレン樹脂）等の合成樹脂製のプレート本体１５と、プレート本体１５内に収容されるラベル３０の表面を覆う可撓性を有する例えばＰＶＣ（塩化ビニル）製の透明カバー４０と、プレート本体１５の基部の裏面に設けられるシート状の貼着部材例えば両面接着テープ５０と、を具備してなる。
【００２７】
この場合、プレート本体１５は、射出成形によって形成されており、横幅：６３ｍｍ、縦幅：２２ｍｍ、厚さ：４ｍｍ（両面接着テープ５０を含む）に設定されている。また、ラベル３０と透明カバー４０は、窓部１４に収容される寸法である横幅：６０ｍｍ、縦幅：１７．５ｍｍに、ラベルの厚み：０．２ｍｍ、透明カバー４０の厚み：０．３ｍｍのものが使用される。
【００２８】
プレート本体１５は、該プレート本体１５の長手方向に対向する縦枠部１２の窓部１４側面に、透明カバー４０の端部が係脱可能な係止溝１６が設けられると共に、基部１１に、係止溝１６を含んで窓部内方側に延在するスリット１７が設けられ、縦枠部１２及び横枠部１３の一方に、係止溝１６に連通する、ラベル３０及び透明カバー４０が挿通可能な挿通口２０が設けられている。
この場合、スリット１７が両縦枠部の長手方向の全長に亘って延在して設けられており、このスリット１７によって挿通口２０が形成されている。なお、スリット１７（挿通口２０）は、係止溝１６を含んで窓部内方側に延在され、具体的には開口幅が３．５ｍｍに形成されている。したがって、スリット１７（挿通口２０）を介してラベル３０（厚み：０．２ｍｍ）及び透明カバー４０（厚み：０．３ｍｍ）の差し込み及び取り外しを容易に行うことができる。
【００２９】
上記のように構成される第１実施形態のラベルプレート１０において、ラベル３０と透明カバー４０は、両縦枠部１２に設けられた挿通口２０（スリット１７）の一方からプレート本体１５の窓部１４内に差し込まれ、透明カバー４０の両端部が係止溝１６に係止された状態で、両面接着テープ５０の剥離シート５１を剥がして収納ボックス１の前面又は側面に貼着される。
【００３０】
次に、ラベル３０を交換する場合について、図７を参照して説明する。なお、図７は説明の都合上、透明カバー４０のみを表示し、ラベル３０は省略してある。
【００３１】
ラベル３０を交換する場合は、まず、透明カバー４０を摘まんで窓部１４内方側に屈曲させて、透明カバー４０の両端部又は一端部と係止溝１６との係合を解く（図７（ａ）参照）。
次に、透明カバー４０の一端を挿通口２０（スリット１７）へスライドさせる（図７（ｂ）参照）。そして、挿通口２０（スリット１７）から外方に突出した透明カバー４０を抜き取る（図７（ｃ）参照）。
ラベル３０も上記操作によって同様にして抜き取ることができる。
【００３２】
上記のように構成される第１実施形態のラベルプレート１０によれば、挿通口２０が、両縦枠部１２の長手方向の全長に亘って延在するスリット１７によって形成されているので、両縦枠部１２のいずれからもラベル３０と透明カバー４０とを差し込み及び取り外しすることができる。
【００３３】
ラベルプレート１０は上記寸法に限定されるものではなく、任意の寸法のものに設定できる。例えば、図８〜図１０に示すように、上記ラベルプレート１０に比べて大きな寸法のラベルプレート１０Ａにしてもよい。
【００３４】
この場合、基部１１の裏面に材質の表示領域１８とブランド名の表示領域１９が設けられている。なお、材質の表示領域１８とブランド名の表示領域１９は、基部１１の裏面より０．３ｍｍ凹んでおり、表示領域１８，１９内に０．３ｍｍ高さの所定の文字（図示せず）が形成される。
【００３５】
また、プレート本体１５Ａは、横幅：９６ｍｍ、縦幅：５９ｍｍ、厚さ：５ｍｍに設定されている。また、ラベル３０と透明カバー４０は、窓部１４に収容される寸法である名刺サイズの寸法で、横幅：９１ｍｍ、縦幅：５５ｍｍに、ラベル３０の厚み：０．２ｍｍ、透明カバー４０の厚み：０．３ｍｍのものが使用される。
【００３６】
ラベルプレート１０Ａは、全体の寸法と基部１１の裏面に材質の表示領域１８とブランド名の表示領域１９を設けた以外は、全体の構造はラベルプレート１０と同じであるので、図８〜図１０において、図１〜図７と同一部分には同一符号を付して説明は省略する。
したがって、ラベル３０と透明カバー４０の差し込みと取り外しは上述と同様に行うことができる。
【００３７】
＜第２実施形態＞
第２実施形態は、長手方向と直交する短手方向に対向する横枠部１３の一方に、ラベル３０及び透明カバー４０が挿通可能な挿通口２０Ｂを設けた場合である。
【００３８】
この場合、第２実施形態のラベルプレート１０Ｂは、第１実施形態の別形態と同様に、名刺サイズのラベル３０に適用できるもので、図１１ないし図１７に示すように、矩形板状の基部１１の表面に縦枠部１２及び横枠部１３を残して窓部１４を有する合成樹脂（例えばＡＢＳ樹脂）製のプレート本体１５Ｂと、プレート本体１５Ｂ内に収容されるラベル３０の表面を覆う可撓性を有する例えばＰＶＣ（塩化ビニル）製の透明カバー４０と、プレート本体１５Ｂの基部の裏面に設けられるシート状の貼着部材例えば両面接着テープ５０と、を具備してなる。
【００３９】
第２実施形態のラベルプレート１０Ｂは、プレート本体１５Ｂの長手方向に対向する縦枠部１２の窓部１４側面に、透明カバー４０の端部が係脱可能な係止溝１６が設けられると共に、基部１１に、係止溝１６を含んで窓部１４内方側に延在するスリット１７Ｂが設けられている。この場合、スリット１７Ｂは係止溝１６の長手方向の両端部に設けられている。
【００４０】
また、横枠部１３の一方の窓部１４側面にも、透明カバー４０の端部が係脱可能な係止溝１６が設けられると共に、基部１１に、係止溝１６を含んで窓部１４内方側に延在するスリット１７Ｂが設けられている。この場合、スリット１７Ｂは係止溝１６の長手方向の両端部に設けられており、縦枠部１２側に設けられたスリット１７Ｂと連通してＬ字状に形成されている。
【００４１】
一方、横枠部１３の他方には、縦枠部１２の係止溝１６に連通する、ラベル３０及び透明カバー４０が挿通可能な挿通口２０Ｂが設けられている。この場合、挿通口２０Ｂの表面側の横枠部１３が挿通口２０Ｂを拡開する方向に弾性変形可能に形成されている。このように構成することにより、ラベル３０と透明カバー４０を取り出す際に、挿通口２０Ｂの表面側の横枠部を挿通口が拡開する方向に弾性変形することで、ラベル３０と透明カバー４０の取り出しを容易にすることができる。
【００４２】
また、基部１１における挿通口２０Ｂの中央部に対向する部位に、外方に向かって開口する指掛け用の切欠き部２１が設けられている。この場合、切欠き部２１の開口側両縁部２１ａ及び先端部２１ｂが円弧状に形成されている。
【００４３】
このように、切欠き部２１の開口側縁部２１ａ及び先端部２１ｂに丸みを持たせることで、透明カバー４０とラベル３０の差し込み及び取り外しの際の引っ掛かりを防止することができると共に、使用時の指の引っ掛かりを防止することができる。
【００４４】
また、挿通口２０Ｂにおける長手方向の両端部側の基部１１と対向する面に、透明カバー４０の抜け出し防止用の係止爪２２が突設されると共に、基部１１における係止爪２２と対向する部位に、挿通口２０Ｂを含んで窓部１４内方側に延在するスリット１７Ｃが設けられている。この場合、係止爪２２が、外方から内方に向かって上り傾斜状に形成されている。
なお、スリット１７Ｃを設けることにより、ラベル３０と透明カバー４０が挿通口２０Ｂの係止爪２２を通過する際の摩擦抵抗を少なくして挿通を容易にすることができる。
【００４５】
このように構成することにより、差し込まれた透明カバー４０とラベル３０がプレート本体１５Ｂから抜け出るのを防止することができる。また、係止爪２２が、外方から内方に向かって上り傾斜状に形成されることにより、透明カバー４０とラベル３０の差し込みを容易にすることができると共に、抜け出し防止を確実にすることができる。
【００４６】
上記のように構成される第２実施形態のラベルプレート１０Ｂにおいて、ラベル３０と透明カバー４０は、挿通口２０Ｂからプレート本体１５Ｂの窓部１４内に差し込まれる。この際、横枠部１３側に設けられたスリット１７Ｂと、縦枠部１２側に設けられたスリット１７Ｂと連通してＬ字状に形成されているので、縦枠部１２と横枠部１３の隅角部の係止溝１６部と透明カバー４０の端部の接触面積（摩擦抵抗）を少なくして透明カバー４０の差し込みを容易にすることができる。
【００４７】
窓部１４内に差し込まれた透明カバー４０は、長手方向の両端部と長手方向と直交する一方の端部が両縦枠部１２と横枠部１３に設けられた係止溝１６に係止された状態で窓部１４内に挿入され、保持される。この状態で、透明カバー４０の挿入側と反対側の端部は係止爪２２によって外方への移動が阻止されて、透明カバー４０とラベル３０がプレート本体１５Ｂからの抜け出しが防止されている。
【００４８】
上記のようにしてラベル３０と透明カバー４０をプレート本体１５Ｂの窓部１４内に挿入（保持）した状態で、両面接着テープ５０の剥離シート５１を剥がして収納容器（図示せず）の前面又は側面に貼着される。
【００４９】
次に、ラベル３０を交換する場合について、図１７を参照して説明する。
ラベル３０を交換する場合は、挿通口２０Ｂの表面側の横枠部１３を手前に引っ張って挿通口２０Ｂが拡開する方向に弾性変形させる。この状態で、透明カバー４０を押し出すようにスライドさせて、透明カバー４０をプレート本体１５Ｂから抜き取る。ラベル３０も上記操作によって同様にして抜き取ることができる。
【００５０】
上記実施形態では、貼着部材が両面接着テープ５０によって形成される場合について説明したが、両面接着テープ５０に代えてシート状マグネットを用いてもよい。シート状マグネットを用いることで、金属製の収納容器に容易に着脱可能に貼着することができる。
【００５１】
また、上記実施形態においては、ラベルプレート１０を収納ボックス１に貼着する場合について説明したが、ラベルプレート１０は収納ボックス１以外のキャビネットや家具の引出、ラタンなどのバケット、ステンレス製かご、あるいは、コンテナ等種々の用途に使用される収納容器にも適用できる。
【００５２】
また、上記実施形態のラベルプレート１０，１０Ａ，１０Ｂにおいて、縦枠部１２及び横枠部１３の表面に着色、例えば、ネオホワイト，キャメルブラウン，マットブラック，マットメタリック等や模様、例えばナチュラルウッド，ダークウッド等の木目調を施すことにより、種々の用途の収納容器に適用することができる。
【符号の説明】
【００５３】
１  収納ボックス（収納容器）
１０，１０Ａ，１０Ｂ  ラベルプレート
１１  基部
１２  縦枠部
１３  横枠部
１４  窓部
１５，１５Ａ，１５Ｂ  プレート本体
１６  係止溝
１７，１７Ｂ，１７Ｃ  スリット
２０，２０Ｂ  挿通口
２１  指掛け用切欠き部
２１ａ  開口側縁部
２１ｂ  先端部
２２  係止爪
３０  ラベル
４０  透明カバー
５０  両面接着テープ（貼着部材）
【図１】
2018180397.tif 000003
【図２】
2018180397.tif 000004
【図３】
2018180397.tif 000005
【図４】
2018180397.tif 000006
【図５】
2018180397.tif 000007
【図６】
2018180397.tif 000008
【図７】
2018180397.tif 000009
【図８】
2018180397.tif 000010
【図９】
2018180397.tif 000011
【図１０】
2018180397.tif 000012
【図１１】
2018180397.tif 000013
【図１２Ａ】
2018180397.tif 000014
【図１２Ｂ】
2018180397.tif 000015
【図１３】
2018180397.tif 000016
【図１４】
2018180397.tif 000017
【図１５】
2018180397.tif 000018
【図１６】
2018180397.tif 000019
【図１７】
2018180397.tif 000020